(57)【要約】【課題】  ベースプレートを介して肘掛を便器本体に取り付ける場合に、ベースプレートを便器本体に密着させた状態で且つ外観上目立たぬように取り付けることのできる肘掛付き便器を提供する。【解決手段】  便器本体１のベースプレート取付部位を、便器本体１後部に一体形成された取付体１１とこれを覆うカバー体１２とからなるボックス形状とし、ベースプレート３を、平板部３１及び縦板部３２がベースプレート取付部位の取付体１１に被さり且つ少なくとも縦板部３２が取付体１１側面に密着するようにして、取付体１１に取り付け、肘掛２を、そのアーム軸部２３から突出した回転軸２４がベースプレート３の縦板部３２の軸穴３２１を通り取付体１１側面の軸逃げ穴１１１に挿入されて、ベースプレート３に取り付け、そして、ベースプレート取付部位のカバー体１２を、取付体１１とともにベースプレート３およびアーム軸部２３を覆うようにして便器本体１に取り付ける。【選択図】図１
2006174908.tif 000002
【特許請求の範囲】
【請求項１】
左右に延びた平板部とその左右端から垂下した一対の縦板部とを有するベースプレートが便器本体のベースプレート取付部位に取り付けられ、手摺り部、アーム部およびアーム軸部とを有する肘掛がそのアーム軸部をベースプレートに回動自在に固定して便器本体の左右両側に取り付けられる肘掛付き便器であって、便器本体のベースプレート取付部位は、便器本体の後部に一体形成された取付体と取付体を覆うカバー体とからなるボックス形状を有しており、ベースプレートは、平板部および縦板部がベースプレート取付部位の取付体に被さるようにして、且つ少なくとも縦板部が取付体側面に密着するようにして、取付体に取り付けられ、肘掛は、そのアーム軸部から突出した回転軸がベースプレートの縦板部に設けられた軸穴を通りベースプレート取付部位の取付体側面に設けられた軸逃げ穴に挿入されて、ベースプレートに取り付けられ、そして、ベースプレート取付部位のカバー体が、ベースプレート取付部位の取付体とともにそれに取り付けられたベースプレートおよび肘掛のアーム軸部を覆うようにして、便器本体に取り付けられることを特徴とする肘掛付き便器。
【発明の詳細な説明】
【技術分野】
【０００１】
本願発明は、肘掛が左右両側に回動自在に取り付けられる便器に関するものである。
【背景技術】
【０００２】
上記の便器については、たとえば図１５（ａ）（ｂ）（ｃ）に例示したように、便器本体１のベースプレート取付部位に取付金具としてのベースプレート３を取り付け、このベースプレート３を介して肘掛２を回動自在に取り付けることがしばしばある。
【０００３】
ベースプレート３については、左右に延びた平板部３１とその左右端から垂下した一対の縦板部３２とを少なくとも有し（図１５（ｃ）参照）、これら平板部３１および縦板部３２が便器本体１のベースプレート取付部位に上方から被せられ、さらに平板部３１がベースプレート取付部位の上面にネジ固定等されることで、便器本体１に取り付けられる。
【０００４】
肘掛２については、使用時に水平位置になる手摺り部２１、これを支持するアーム部２２、アーム部２２の終端にあるアーム軸部２３とを少なくとも有し、上記のとおりに便器本体１に取り付けられたベースプレート３の左右の縦板部３２にアーム軸部３２が回動自在に固定されて、便器本体１に取り付けられる。
【０００５】
なお、下記特許文献１には、上記のものとは取付金具を介した取付構造が異なるが、肘掛付き便器の一例が記載されている。
【特許文献１】特開平１１−２０６６２６号公報
【発明の開示】
【発明が解決しようとする課題】
【０００６】
しかしながら、上記のとおりにベースプレート３を介して肘掛２を取り付ける場合、ベースプレート３および肘掛２を取り付けていない状態を例示した図１６（ａ）（ｂ）（ｃ）と比較して分かるように、ベースプレート３の左右の縦板部３２が便器本体１から露出しており、外観上目立ってしまう。これは、縦板部３２が、単に便器本体１の左右側面から露出しているだけでなく、便器本体１の左右側面から外方にある程度突出して現れているためである。これでは、便器全体の外観上好ましいとは言えない。なお、図１５（ａ）（ｂ）（ｃ）および図１６（ａ）（ｂ）（ｃ）の便器は、肘掛２を取付取外可能にしたものであり、それぞれ肘掛２がある状態、ない状態となっている。
【０００７】
そこで、ベースプレート３を便器本体１の左右側面から突出しないように便器本体１に密着させて、見た目を向上させる対応が考えられる。
【０００８】
しかし、ベースプレート３を便器本体１に密着させると、肘掛２に荷重をかけたときのベースプレート３の変形応力が便器本体１に加わり、陶器製の便器本体１の破損の原因となる。
【０００９】
また、肘掛２のアーム軸部２３は、ベースプレート３の縦板部３２との取付面側に回転軸２４が飛び出していることがしばしばあり（図１５（ｃ）参照）、ベースプレート３を便器本体１に密着させた状態では、アーム軸部２３を縦板部３２に取り付けた際に縦板部３２と便器本体１との間に回転軸２４が逃げるスペースがなくなり、回転軸２４が便器本体１と干渉して、取り付けることができなくなる。
【００１０】
そこで、以上のとおりの事情に鑑み、本願発明は、肘掛２を便器本体１に取り付ける場合において、便器本体１のベースプレート取付部位の強度を向上させてベースプレート３を便器本体１に密着させた状態で取り付けられるようにし、且つその密着状態でも回転軸２４を逃がしてアーム軸部２３を取り付けられるようにし、最終的にベースプレート３が便器本体１から目立たぬよう外観向上を実現することのできる、肘掛付き便器を提供することを課題としている。
【課題を解決するための手段】
【００１１】
本願発明は、上記の課題を解決するものとして、第１には、左右に延びた平板部とその左右端から垂下した一対の縦板部とを有するベースプレートが便器本体のベースプレート取付部位に取り付けられ、手摺り部、アーム部およびアーム軸部とを有する肘掛がそのアーム軸部をベースプレートに回動自在に固定して便器本体の左右両側に取り付けられる肘掛付き便器であって、便器本体のベースプレート取付部位は、便器本体の後部に一体形成された取付体と取付体を覆うカバー体とからなるボックス形状を有しており、ベースプレートは、平板部および縦板部がベースプレート取付部位の取付体に被さるようにして、且つ少なくとも縦板部が取付体側面に密着するようにして、取付体に取り付けられ、肘掛は、そのアーム軸部から突出した回転軸がベースプレートの縦板部に設けられた軸穴を通りベースプレート取付部位の取付体側面に設けられた軸逃げ穴に挿入されて、ベースプレートに取り付けられ、そして、ベースプレート取付部位のカバー体が、ベースプレート取付部位の取付体とともにそれに取り付けられたベースプレートおよび肘掛のアーム軸部を覆うようにして、便器本体に取り付けられることを特徴とする。
【発明の効果】
【００１２】
上記第１の発明によれば、便器本体のベースプレート取付部位を上記のとおりの取付体とカバー体とでなるボックス形状とすることで、その強度を向上でき、よって、肘掛に荷重をかけたときのベースプレートの変形応力が便器本体に一体形成された取付体に加わっても、取付体および便器本体が破損し難くなるため、ベースプレートを取付体に密着させた状態で取り付けることができる。
【００１３】
また、ベースプレート取付部位の取付体に軸逃げ穴を設けてそれにアーム軸部から突出した回転軸を挿入させることで、回転軸が逃げるスペースを軸逃げ穴から取付体内に確保でき、よって、ベースプレートと取付体とが密着状態にあっても回転軸を逃がしてアーム軸部を取り付けることができる。
【００１４】
したがって、最終的に、ベースプレートを、その平板部および縦板部がベースプレート取付部位の取付体に被さるようにして、且つ少なくとも縦板部が取付体側面に密着するようにして取り付けることができ、そして、カバー体を、取付体とともにこれに固定されたベースプレートおよびアーム軸部を覆うように取り付けることで、ベースプレートが、ボックス形状としたベースプレート取付部位の内部に納められて、便器本体の外観上目立たず、これとともに強度も向上して、肘掛の取り付けをより好適に実現できるようになる。
【発明を実施するための最良の形態】
【００１５】
図１〜図５は、各々、本願発明の一実施形態を示したものである。
【００１６】
この実施形態では、まず、便器本体１のベースプレート取付部位が、便器本体１の後部に一体形成された取付体１１と、この取付体１１を覆うカバー体１２とからなるボックス形状を有するものとなっている。
【００１７】
ベースプレート３は、左右に延びた平板部３１と、その左右端から垂下した一対の縦板部３２とを少なくとも有するものとなっている。平板部３１には、上記取付体１１とのネジ固定のための固定穴３１１が設けられている。左右の縦板部３２には、肘掛２のアーム軸部２３から突出している回転軸２４（図４、図５参照）が挿入される軸穴３２１が略中央位置に設けられ、その周りの適宜位置に、アーム軸部２３から突出しているピン２３４ｃ（図４、図５参照）が差し込まれるピン穴３２２と、アーム軸部２３とベースプレート３とのネジ固定のための固定穴３２３とが配設されている（図１４（ａ）〜（ｄ）も参照）。
【００１８】
これら平板部３１および縦板部３２が取付体１１に上方から被せられ、さらに平板部３１が取付体１１の上面にネジ４により固定されることで、ベースプレート３は取付体１１に取付固定される。このとき、左右の縦板部３２はその裏面が取付体１１の側面に密着されている。
【００１９】
この状態のベースプレート３に対して肘掛２を取り付ける際には（図３、図４参照）、アーム軸部２３の裏側から突出しているピン２３４ｃをベースプレート３の縦板部３２のピン穴３２２に差し込み、且つ、同じく突出している回転軸２４を縦板部３２の軸穴３２１に通し、さらに、アーム軸部２３の２箇所の固定穴２３３ａから縦板部３２の固定穴３２３に対して固定ネジ６（後述の図６参照）を六角レンチ５等を用いて締め付けて、アーム軸部２３をベースプレート３に固定する。
【００２０】
このとき、アーム軸部２３の回転軸２４は、ベースプレート３の縦板部３２の軸穴３２１を抜けて、縦板部３２が密着している便器本体１におけるベースプレート取付部位の取付体１１側面の軸逃げ穴１１１に通されている（図５参照）。したがって、縦板部３２が取付体１１側面に密着していても、突出した回転軸２４が取付体１１つまり陶器製の便器本体１に当たることはない。
【００２１】
アーム軸部２３および回転軸２４の構成についてさらに説明すると、図６〜図９（ａ）（ｂ）に例示したように、アーム軸部２３は、アームベース２３ａ、スペーサーディスク２３ｂ、エンドプレート２３ｃが一体化されて構成されている。
【００２２】
アームベース２３ａは、裏側へ突出した回転軸２４の軸中心体となる回転軸体２３１ａ、アーム軸部２３の回動範囲を抑制するストッパーピン２３２ａ、ベースプレート３の縦板部３２との固定のための固定ネジ６（図６参照）が通る固定穴２３３ａを有している（図７（ａ）（ｂ）参照）。
【００２３】
スペーサーディスク２３ｂは、アームベース２３ａの回転軸体２３１ａが通る軸穴２３１ｂ、アームベース２３ａのストッパーピン２３２ａが通るピン穴２３２ｂ、固定ネジ６が通る固定穴２３３ｂを有している（図８（ａ）（ｂ）参照）。このスペーサーディスク２３ｂと上記アームベース２３ａとの間には組み立て時にウェーブ状のワッシャー２３ｄが設けられる。また、スペーサーディスク２３ｂ内にはグリス２３ｊも設けられる。
【００２４】
エンドプレート２３ｃは、アームベース２３ａの回転軸体２３１ａが通る軸穴２３１ｃ、アームベース２３ａのストッパーピン２３２ａが通って回動するピン長穴２３２ｃ、固定ネジ６が通る固定穴２３３ｃ、ベースプレート３の縦板部３２との位置決め兼ずれ防止等のための裏側へ突出したピン２３４ｃを有している（図９（ａ）（ｂ）参照）。
【００２５】
これらの一体化は、アームベース２３ａからスペーサーディスク２３ｂおよびエンドプレート２３ｃを抜けて突出している回転軸体２３１ａにおける外周面が螺刻された突出部分に対して、テフロン（登録商標）材２３ｅ、補強ワッシャー２３ｆ、テフロン（登録商標）板２３ｇ、皿バネ２３ｈおよびナット２３ｉが順に差し込まれ捩じ込まれることで、行なわれる（図６参照）。
【００２６】
そして、このように一体化構成されたアーム軸部２３からは、回転軸体２３１ａとともに、テフロン（登録商標）材２３ｅ、補強ワッシャー２３ｆ、テフロン（登録商標）板２３ｇ、皿バネ２３ｈおよびナット２３ｉから突出しているので、これら全てを含めたものが、ベースプレート３の縦板部３２への取付時にその軸穴３２１から便器本体１におけるベースプレート取付部位の取付体１１の軸逃げ穴１１１に逃がす必要のある回転軸２４ということになる（図５参照）。
【００２７】
以上のとおりに組み立てられベースプレート３に取り付けられたアーム軸部２３を持つ肘掛２は、図１０および図１１に例示したように、ストッパーピン２３２ａおよびピン長穴２３２ｃにより決まる回転角度範囲内での回動を行なうことが可能になる。図１２（ａ）（ｂ）および図１３（ａ）（ｂ）は肘掛２のバリエーション例である。図１４（ａ）〜（ｄ）はベースプレートの詳細図である。
【００２８】
後は、図１に例示したように、ボックス形状のベースプレート取付部位を構成するカバー体１２を、ベースプレート取付部位の取付体１１とともにそれに取り付けられたベースプレート３および肘掛２のアーム軸部２３を覆うようにして、便器本体１に取り付ければよい。
【００２９】
図１から明らかなように、ベースプレート３はもちろんのことアーム軸部２３もカバー体１２により隠されており、この完成後のボックス形状のベースプレート取付部位は便器本体１と一体化されていると言えるので、ベースプレート３もアーム軸部２３も便器本体１の内部に納められていることになり、肘掛２を取り付けた際の便器本体１の外観を損ねることがなくなる。そしてさらに取付強度も向上されているので、肘掛２の取付を一層好適に実現できるのである。
【図面の簡単な説明】
【００３０】
【図１】本願発明の一実施形態を示した要部分解斜視図および斜視図であり、ベースプレートおよび肘掛取付前後の状態を示している。
【図２】本願発明の一実施形態を示した平面図であり、ベースプレートおよび肘掛取付後の状態を示している。
【図３】本願発明の一実施形態を示した斜視図であり、ベースプレート取付後で肘掛取付前の状態を示している。
【図４】図３の状態への肘掛の取付けについて説明するための図である。
【図５】肘掛取付後のアーム軸部周りを示した断面図である。
【図６】アーム軸部を示した平面・一部断面図である。
【図７】（ａ）（ｂ）は、各々、アーム軸部を構成するアームベースを示した平面図および裏面図である。
【図８】（ａ）（ｂ）は、各々、アーム軸部を構成するスペーサーディスクを示した平面図および裏面図である。
【図９】（ａ）（ｂ）は、各々、アーム軸部を構成するエンドプレートを示した平面図および裏面図である。
【図１０】組立後のアーム軸部を持つ肘掛を示した正面図である。
【図１１】肘掛の回動について説明するための図である。
【図１２】（ａ）（ｂ）は、各々、肘掛の別の一例を示した平面図および側面図である。
【図１３】（ａ）（ｂ）は、各々、肘掛のさらに別の一例を示した平面図および側面図である。
【図１４】（ａ）〜（ｄ）は、各々、ベースプレートを示した平面図、正面図および左右側面図である。
【図１５】（ａ）（ｂ）（ｃ）は、各々、肘掛がある状態の従来例を示した平面図、側面図および正面図である。
【図１６】（ａ）（ｂ）（ｃ）は、各々、肘掛がない状態の従来例を示した平面図、側面図および正面図である。
【符号の説明】
【００３１】
１  便器本体
１１  取付体
１１１  軸逃げ穴
１２  カバー体
２  肘掛
２１  手摺り部
２２  アーム部
２３  アーム軸部
２３ａ  アームベース
２３１ａ  回転軸体
２３２ａ  ストッパーピン
２３３ａ  固定穴
２３ｂ  スペーサーディスク
２３１ｂ  軸穴
２３２ｂ  ピン穴
２３３ｂ  固定穴
２３ｃ  エンドプレート
２３１ｃ  軸穴
２３２ｃ  ピン長穴
２３３ｃ  固定穴
２３４ｃ  ピン
２３ｄ  ワッシャー
２３ｅ  テフロン（登録商標）材
２３ｆ  補強ワッシャー
２３ｇ  テフロン（登録商標）板
２３ｈ  皿バネ
２３ｉ  ナット
２３ｊ  グリス
２４  回転軸
３  ベースプレート
３１  平板部
３１１  固定穴
３２  縦板部
３２１  軸穴
３２２  ピン穴
３２３  固定穴
４  ネジ
５  六角レンチ
６  固定ネジ
【図１】
2006174908.tif 000003
【図２】
2006174908.tif 000004
【図３】
2006174908.tif 000005
【図４】
2006174908.tif 000006
【図５】
2006174908.tif 000007
【図６】
2006174908.tif 000008
【図７】
2006174908.tif 000009
【図８】
2006174908.tif 000010
【図９】
2006174908.tif 000011
【図１０】
2006174908.tif 000012
【図１１】
2006174908.tif 000013
【図１２】
2006174908.tif 000014
【図１３】
2006174908.tif 000015
【図１４】
2006174908.tif 000016
【図１５】
2006174908.tif 000017
【図１６】
2006174908.tif 000018